(57)【要約】  【課題】  両面表示可能な液晶表示装置（液晶表示パネル）の明るさ（輝度等）を容易に変更するためのバックライト装置を提供する。  【解決手段】  ＬＥＤ３からの光を受け、その光を導いて出射させる発光面１ｃ・１ｄを有した第１導光板１・第２導光板２を、重なるように配設させたバックライト装置において、第１導光板１の厚みと第２導光板２の厚みと（特に、第１導光板１の入光部１ａの厚みと第２導光板２の入光部２ａの厚みと）を異なるようにさせる。【選択図】      図１
2006059583.tif 000002
【特許請求の範囲】
【請求項１】
光源からの光を受け、その光を導いて出射させる出射部を有した導光板を、複数重なるように配設させたバックライト装置において、
上記光源からの光が入光する上記導光板の側端部から成る入光部にあっては、
少なくとも１つの導光板における入光部の厚みが、他の導光板における入光部の厚みと異なるようになっていることを特徴とするバックライト装置。
【請求項２】
少なくとも１つの導光板における上記入光部の厚みと、その入光部に対向する導光板の側端部から成る終端部の厚みとが、異なるようになっていることを特徴とする請求項１に記載のバックライト装置。
【請求項３】
上記導光板における少なくとも１つの出射部が、他の導光板の出射部と異なる面積を有していることを特徴とする請求項１または２に記載のバックライト装置。
【請求項４】
上記光源は、上記導光板の側端部に向かって光を発光するようにして、複数設けられていることを特徴とする請求項１〜３のいずれか１項に記載のバックライト装置。
【請求項５】
上記光源による光の進行方向が、対向するようになっていることを特徴とする請求項４に記載のバックライト装置。
【発明の詳細な説明】
【技術分野】
【０００１】
本発明は、バックライト装置に関するものであり、特に、両面発光タイプのバックライト装置に関するものである。
【背景技術】
【０００２】
昨今、日本ではＩＴ革命といわれており、その技術を利用するため、携帯電話をはじめとする数多くの情報端末機器が開発されている。そして、このような情報端末機器においては、携帯性の高いものが望まれている。そのため、情報端末機器における表示装置としては、液晶表示装置等が使用されているものが多い。そして、特に、携帯性を確保しながらも、表示面積の向上を図るために、両面表示可能な液晶表示装置が種々開発されている。
【０００３】
このような液晶表示装置において、光源として使用されるバックライト装置（両面発光型バックライト装置）としては、例えば図１１（ａ）に示すようなものが挙げられる（特許文献１）。この図に示すようなバックライト装置１１９は、まず、光源１０３からの光をリフレクター１０５によって反射させながら、導光板１０１へと導くようになっている。そして、導光板１０１の端面から導かれてきた光は、導光板１０１内部に埋設された乱反射部１０６によって、導光板１０１の両面（発光面１０１ｅ・１０１ｆ）から等しい発光輝度を有する光（出射光）として出射されるようになっている。
【０００４】
また、図１１（ｂ）に示すようなバックライト装置１１９（特許文献２）は、反射板を備えないようにしながらも、複数個のパターン１０７（例えば導光板１０１内部に縦横に一定に形成された孔型パターン）を含むように構成された単一の導光板１０１によって、等しい発光輝度を有する光（出射光）を出射するようになっている。
【０００５】
また、図１１（ｃ）に示すようなバックライト装置１１９（特許文献３）では、２枚の導光板１０１・１０２の間に、両面が反射面となった反射板１１１を配設している。そのため、両方の導光板１０１・１０２から均等な光が出射するようになっている。
【特許文献１】特開平７−１２０６２３号公報
【特許文献２】特開平２００２−２５８２８４号公報
【特許文献３】特開平２００１−２９０４４５号公報
【発明の開示】
【発明が解決しようとする課題】
【０００６】
しかしながら、上記特許文献１〜３におけるバックライト装置１１９では、液晶表示面の両方を同じ発光輝度とすることを特徴としている。そのため、例えば携帯電話のように、両面表示画面の一方の発光輝度を高く、他方を低く変更（調整）させたい場合、特許文献１〜３におけるバックライト装置１１９では、両方の液晶表示面を各々異なる発光輝度に変更することは難しい。
【０００７】
本発明は、上記の問題点を解決するためになされたものであって、その目的は、両面表示可能な液晶表示装置（液晶表示パネル）の明るさ（輝度等）を容易に変更するためのバックライト装置を提供することにある。
【課題を解決するための手段】
【０００８】
本発明は、光源からの光を受け、その光を導いて出射させる出射部を有した導光板を、複数重なるように配設させたバックライト装置であって、少なくとも１つの導光板の厚みが、他の導光板の厚みと異なるようになっていることを特徴としている。
【０００９】
具体的に説明すると、上記光源からの光が入光する上記導光板の側端部から成る入光部にあって、少なくとも１つの導光板における入光部の厚みが、他の導光板における入光部の厚みと異なるようになっていることが好ましい。
【００１０】
上記のように光源からの光を受け、その光を導いて出射させる出射部を有した導光板を、複数重なるように配設させたバックライト装置（例えば両面発光タイプのバックライト装置）にあっては、各導光板からの出射される光（出射光）の輝度や光量は、光源から各導光板に入射した光量に依存する。つまり、入射光量が多ければ、導光板からの発光輝度も高くなる一方、入射光量が少なければ、発光輝度も低くなる。そこで、本発明では、導光板の厚みを種々変更（異なるように）させている。
【００１１】
特に、光源からの光が直接入射してくる導光板の入光部の厚みを種々変更させている。これにより、入光部の厚みに応じて、効率よく、導光板の発光輝度が変更できるようになる。
【００１２】
つまり、本発明のバックライト装置は、単純に導光板の厚み（特に入光部の厚み）を変更するだけで、導光板の発光輝度を容易に変更させることができる。したがって、高機能化したバックライト装置といえる。
【００１３】
また、本発明では、少なくとも１つの導光板における上記入光部の厚みと、その入光部に対向する導光板の側端部から成る終端部の厚みとが、異なるようになっていることが好ましい。
【００１４】
これによると、導光板の縦断面の形状が、例えばくさび型のようになる。このような形状であれば、導光板内部を光が効率よく伝搬していくためバックライト装置からの出射光（バックライト）の発光効率が良くなるという利点がある。
【００１５】
また、本発明は、上記導光板における少なくとも１つの出射部が、他の導光板の出射部と異なる面積を有していることが好ましい。
【００１６】
例えば、両面表示可能な液晶表示装置に本発明のバックライト装置（両面発光タイプのバックライト装置）を使用するの場合、表面の液晶表示パネルと裏面の液晶表示パネルとのサイズ（面積）が異なる場合がある。
【００１７】
かかる場合に、本発明のバックライト装置であれば、表面の液晶表示パネル・裏面の液晶表示パネルに対応させることができる。例えば、大サイズの表面の液晶表示パネルには、大サイズの導光板の出射部（出射面）を対応させるように配設させる一方、小サイズの液晶表示パネルには、小サイズの導光板の出射部を対応させるように配設させることができる。そのため、バックライト装置の軽量化・小型化を図ることができる。
【００１８】
また、本発明では、上記光源は、上記導光板の側端部に向かって光を発光するようにして、複数設けられていることが好ましい。具体的には、上記光源による光の進行方向が、対向するようになっていることが好ましい。
【００１９】
これによると、簡単に高い発光輝度を確保したバックライト装置となる。
【発明の効果】
【００２０】
本発明のバックライト装置によれば、複数ある導光板の厚み（入光部等の厚み）を変更することで、例えば両面表示可能な液晶表示装置（液晶表示パネル）の明るさ（輝度等）を容易に変更できる。
【発明を実施するための最良の形態】
【００２１】
〔実施の形態１〕
本発明の実施の一形態について、図面に基づいて説明すれば、以下の通りである。
【００２２】
〈バックライト装置の構成について〉
図１０は、本発明のバックライト装置１９の斜視図であり、図１は、図１０の矢視Ｊ−Ｊ’線概略断面図である。
【００２３】
バックライト装置１９は、液晶表示パネル（不図示）に光（バックライト光）を照射するものであり、ＬＥＤ（light Emitting Diode）３、反射シート（反射膜）１１、導光板１・２、光学シート１２・１２、およびホルダー１３を含むように構成されている。なお、このバックライト装置１９は、両面発光タイプの液晶表示装置に使用するものであるので、２枚の液晶表示パネルの間に配設されている（２枚の液晶表示パネルの非表示面側にて挟まれるように配設されている）。
【００２４】
ＬＥＤ３は、光（光線）を発光するものであり（すなわち、光源であり）、例えば厚み０．８ｍｍ程度の白色ＬＥＤ等が挙げられる。ただし、本発明のバックライト装置１９では、光源としてＬＥＤに限定されるものではなく、例えば蛍光管のような光源であっても構わない。
【００２５】
反射シート１１は、光利用効率の向上を図るために、ＬＥＤ３からの光や導光板１・２内部を伝搬する光を漏洩させることなく液晶表示パネルに向けて反射させるものである。特に、本発明では、両面発光タイプの液晶表示装置に使用するものであるので、反射シート１１の両面がともに反射機能を有するようになっている。
【００２６】
なお、反射シート１１は、可視光領域の光（４００ｎｍ〜７００ｎｍ程度の光）を効率よく反射させることが好ましい。そこで、本発明のバックライト装置１９における反射シート１１は、６００ｎｍの光を９８％以上の反射率で反射させるため、ポリエステル系の樹脂等から成る多層膜構造となっている。
【００２７】
導光板（第１導光板１・第２導光板２）は、ＬＥＤ３からの光を平面光に変換させるためのものであり、光の内部伝搬可能な透明樹脂〔例えばＰＭＭＡ（ポリメチルメタクリレート）やＰＣ（ポリカーボネート）の樹脂等〕から構成される平面導光体（面状導光体）である。なお、この導光板１・２においては、ＬＥＤ３からの光が入射してくる箇所（導光板１・２の側端部）を入光部１ａ・２ａ、ＬＥＤ３からの光を液晶表示パネルへと出射させる面（箇所）を発光面（出射部）１ｃ・２ｃ、およびこの発光面１ｃ・２ｃに対向する面を反射面１ｄ・２ｄと表現する。
【００２８】
光学シート１２・１２は液晶表示パネルに入射する光の放射特性を偏向させることで、その液晶表示パネルの単位面積あたりの輝度を向上させるものである。なお、この光学シート１２・１２の材料や種類は特に限定されるものではないが、ポリエステル系の基材から成るレンズシート（例えば発光面１ｃ・２ｃ側の光学シート１２・１２の一面に２４μｍ程度のピッチで凸レンズを形成させたシート）やＰＥＴ（ポリエチレンテレフタレート）から成る拡散シートであっても構わない。
【００２９】
ホルダー１３は、上記のＬＥＤ３、反射シート１１、導光板１・２、および光学シート１２・１２を搭載する枠体である。具体的には、導光板１・２の周囲から発光面１ｃ・２ｃ以外に光が漏れないよう、導光板１・２を取り囲み、各部材（ＬＥＤ３、反射シート１１、導光板１・２、光学シート１２・１２）を固定するために部材である。なお、このホルダー１３の材料としては、特に限定されることはなく、例えばＰＣ（ポリカーボネート）等の白色樹脂等であれば構わない。
【００３０】
なお、本発明のバックライト装置１９の配設構造は、両面反射可能な反射シート１１を第１導光板１と第２導光板２とによって挟持するようになっている。そして、これらの挟持している第１導光板１・第２導光板２において、反射シート１１に近接する側の面を反射面１ｄ・２ｄ（第１導光板１の反射面１ｄ、第２導光板２の反射面２ｄ）、反射面１ｄ・２ｄに対向する面を発光面１ｃ・２ｃ（第１導光板１の発光面１ｃ、第２導光板２の発光面２ｃ）とし、その発光面１ｃ・２ｃ側には、光学シート１２・１２が取り付けられるようになっている。
【００３１】
また、これらの反射シート１１、導光板１・２、光学シート１２・１２から成る導光板ユニット１８は、開口１３ａを有するホルダー１３に取り付けられるようになっており、さらに、導光板ユニット１８とホルダー１３との間隔にＬＥＤ３を配設させることで、本発明のバックライト装置１９は構成されるようになっている。
【００３２】
〈本発明の特徴的な構成・効果について〉
本発明のバックライト装置１９では、図１に示すように、第１導光板１・第２導光板２が互いに異なった厚みを有するようになっている。具体的には、ＬＥＤ３からの光が入射してくる第１導光板１の入光部１ａの厚みと、第２導光板２の入光部２ａの厚みとが異なるようになっている。なお、入光部１ａの厚みを「厚みＡ」、入光部２ａの厚みを「厚みＢ」とすると、厚みの関係は、「厚みＡ」＞「厚みＢ」となっている。
【００３３】
このように入光部１ａ・２ａの厚みを異なるように構成すると、厚みの大きい入光部１ａ（例えば０．６ｍｍ程度）を有する第１導光板１には、多くの光量（第２導光板２よりも多い光量）が取り込まれる一方、厚みの小さい入光部２ａ（例えば０．２ｍｍ程度）を有する第２導光板２には、第１導光板１よりも少ない光量が取り込まれるようになる。つまり、ＬＥＤ３から導光板１・２への入光効率がそれぞれ変化するようになる（第１導光板１・第２導光板２の厚みを変化させることで、入光効率をコントロールしている）。
【００３４】
その結果、第１導光板１の発光面１ｃから液晶表示パネル（第１導光板１の発光面１ｃ側に設けられた液晶表示パネル）に到達する光は、第２導光板２の発光面２ｃから出射する光よりも多くなる一方、第２導光板２の発光面２ｃから液晶表示パネル（第２導光板２の発光面２ｃ側に設けられた液晶表示パネル）に到達する光は、第１導光板１の発光面１ｃから出射する光よりも少なくなる。
【００３５】
すると、本発明のバックライト装置１９を用いた液晶表示装置は、両方の液晶表示パネルにおける一方（例えば表面）の発光輝度が高く、他方（例えば裏面）の発光輝度が低くなった両面表示可能な液晶表示装置となる。つまり、本発明のバックライト装置１９は、単純に導光板１・２の厚みを変更するだけで、導光板１・２の発光輝度を互いに、かつ容易に変更させることができるので高機能化したバックライト装置といえる。
【００３６】
また、従来のように、例えば両面表示のために２台の液晶表示装置を背中合わせで配設せるような必要がないので（小型で両面表示可能な液晶表示装置となるので）、液晶表示装置の設置場所を効率的に利用できる。
【００３７】
その上、表面・裏面の導光板（例えば、表面側：第１導光板１、裏側：第２導光板２）からの発光輝度を変化させるために、例えば２種類（２つ）のＬＥＤを設ける必要はないので、バックライト装置１９のコスト削減を図ることもできる（つまり、１種類のＬＥＤのみで発光輝度を変化させたバックライト装置１９となるので、コスト削減を図ることもできる）。
【００３８】
つまり、本発明のバックライト装置では、少なくとも１つの導光板の厚みが、他の導光板の厚みと異なるようになっていることを特徴としており、特に、少なくとも１つの導光板における入光部の厚みが、他の導光板における入光部の厚みと異なるようになっているだけで、高機能化・小型化・低コスト化を図れるようになっている。
【００３９】
〔実施の形態２〕
本発明の第２の実施形態について説明する。なお、実施の形態１で用いた部材と同様の機能を有する部材については、同一の符号を付記し、その説明を省略する。
【００４０】
実施の形態１では、各々の発光強度の異なった両面表示可能な液晶表示装置とするために、バックライト装置１９における第１導光板１・第２導光板２の入光部１ａ・２ａを含む全域に渡る厚みを、互いに異ならせるようにしている（図１参照）。
【００４１】
しかし、本発明のバックライト装置１９では、このように入光部１ａ・２ａからＬＥＤ３の光が最終的に伝搬していく終端部１ｂ・２ｂ（入光部１ａ・２ａに対向する導光板１・２の側端部である終端部１ｂ・２ｂ）までに渡る厚みを同程度にしておく必要はない。
【００４２】
例えば図２に示すように、ＬＥＤ３近傍に位置する第１導光板１の入光部１ａの厚みを第２導光板２の入光部２ａの厚みよりも大きな「厚みＣ」、第２導光板２の入光部２ａの厚みを第１導光板１の入光部１ａの厚みよりも小さな「厚みＤ」とする一方、第１導光板１の終端部１ｂの厚みを第２導光板２の終端部２ｂの厚みよりも小さな「厚みＥ」、第２導光板２の終端部２ｂの厚みを第１導光板１の終端部１ｂの厚みよりも大きな「厚みＦ」としてもよい。
【００４３】
なお、上記の厚みの関係は、例えば「厚みＣ」＞「厚みＦ」＞「厚みＥ」＞「厚みＤ」となっている。しかし、要は、入光部１ａの厚みである「厚みＣ」が、入光部２ａの厚みである「厚みＤ」よりも厚く、終端部１ｂの厚みである「厚みＥ」が、終端部２ｂの厚みである「厚みＦ」よりも薄ければよい（「厚みＣ」＞「厚みＤ」、「厚みＥ」＜「厚みＦ」の関係であればよい）。
【００４４】
このように一枚状の導光板（第１導光板１・第２導光板２）における全域に渡って同程度の厚み（入光部１ａ・２ａから終端部１ｂ・２ｂに至るまでの厚みを同程度）にしておかなくとも、少なくとも入光部１ａと入光部２ａとの厚みが異なっていれば、ＬＥＤ３から導光板１・２への入光効率がそれぞれ変化するようになる。
【００４５】
したがって、第１導光板１の発光面１ｃから液晶表示パネルに到達する光は、第２導光板２の発光面２ｃから出射する光よりも多くなる一方、第２導光板２の発光面２ｃからから液晶表示パネルに到達する光は、第１導光板１の発光面１ｃから出射する光よりも少なくなる。そのため、実施の形態１同様、本発明のバックライト装置１９を用いた液晶表示装置は、両方の液晶表示パネルにおける一方の発光輝度が高く、他方の発光輝度が低くなった両面表示可能な液晶表示装置となる。
【００４６】
なお、このように導光板１・２の入光部１ａ・２ａから終端部１ｂ・２ｂに至るまでの厚みを徐々に変更させた（単調増加または単調減少させて連続するように変更させた）導光板１・２は、くさび形の導光板１・２と表現することができる。
【００４７】
また、このようなくさび形の導光板１・２は、実施の形態１に示すような、入光部１ａ・２ａから終端部１ｂ・１ｂに至るまでの厚みが一定の導光板に比べて、導光板内部を光が効率よく伝搬していく。そのため、バックライト装置からの出射光（バックライト）の発光効率が良くなり、高輝度が得られるという有利な効果も生じる。
【００４８】
なお、複数ある導光板（例えば第１導光板１・第２導光板２）における全ての導光板がくさび形の形状を有しておく必要はなく、少なくとも１つの導光板がくさび形の形状をしているだけでもよい。
【００４９】
〔実施の形態３〕
本発明の第３の実施形態について説明する。なお、実施の形態１・２で用いた部材と同様の機能を有する部材については、同一の符号を付記し、その説明を省略する。
【００５０】
実施の形態１・２では、各々の発光強度の異なった両面表示可能な液晶表示装置に用いられるバックライト装置１９を説明している。そして、このような両面表示可能な液晶表示装置を用いた電子機器の一例として、図３に示すような携帯端末２９が挙げられる。図３（ａ）に示すように、この携帯端末２９では、外装２１を開けると、大画面の液晶表示パネル２２を視認できるキーボード付き情報端末機となる。一方、図３（ｂ）に示すように、外装２１を閉じると小画面の液晶表示パネル２３を視認できる携帯電話となる。
【００５１】
このような携帯端末２９に、本発明のバックライト装置１９を使用する場合、小画面の液晶表示パネル２３に対応する導光板（例えば第２導光板２）の大きさを、大画面の液晶表示パネル２２に対応する導光板（例えば第１導光板１）と同程度のサイズ（面積）に設計する必要はない。
【００５２】
したがって、図４・図５に示すように、第２導光板２のサイズを、第１導光板１のサイズよりも小型化してもよい。
【００５３】
このように、液晶表示パネル２２・２３に対応させて、バックライト装置１９の導光板１・２のサイズを変更させると、液晶表示パネル２２・２３に見合った光量を供給できる。特に、発光輝度の高い第１導光板１と大画面の液晶表示パネル２２とを対応させる一方、発光輝度の低い第２導光板２と小画面の液晶表示パネル２３とを対応させると、大画面ゆえ大きな発光輝度を必要とする場合に、ＬＥＤ３の光を入射効率の高い第１導光板１が対応し、小画面ゆえ小さな発光輝度でもよい場合に、入射効率の低い第２導光板２が対応することになるので、ＬＥＤ３の光量を有効利用することができる。
【００５４】
なお、上述では、両面表示可能な液晶表示装置に用いるバックライト装置を例に挙げて説明したが、多面表示可能な液晶表示装置も考えられる。かかる場合、本発明のバックライト装置では、液晶表示装置の具備された液晶表示パネルの個数に応じた導光板を備えるようにし、かつ少なくとも１つの導光板のサイズが、他の導光板のサイズと異ならせるようにすることもできる。
【００５５】
〔実施の形態４〕
本発明の第４の実施形態について説明する。なお、実施の形態１〜３で用いた部材と同様の機能を有する部材については、同一の符号を付記し、その説明を省略する。
【００５６】
実施の形態１〜３では、図１・図２・図４・図５に示すように、例えば四角上の導光板１・２における一辺（側端部）の近傍にＬＥＤ３を複数配設している。すると、入光部１ａ・２ａから導光板１・２に入射してきたＬＥＤ３の光（光線）が、終端部１ｂ・２ｂに進むにつれて徐々に光成分が減少してしまう。なぜなら、入光部１ａ・２ａから終端部１ｂ・２ｂに到達するまでの間に、液晶表示パネルに向かって、ＬＥＤ３の光が反射させられるためである。
【００５７】
そこで、本発明では、ＬＥＤ３は、導光板１・２の側端部に向かって光を発光するようにして、複数設けるようにしている。具体的には、図６〜図９に示すように、終端部１ｂ・２ｂ側の近傍にも、ＬＥＤ３を配設するようになっている。つまり、導光板１・２において対向する側端部（入光部１ａ・２ａ、終端部１ｂ・２ｂ）からＬＥＤ３の光を照射するようになっている（ＬＥＤ３による光の進行方向が、対向するようになっている）。
【００５８】
そのため、導光板１・２の一辺の近傍（１つの側端部）からＬＥＤ３の光を照射する場合に比べて、高い発光輝度を得られるようになった両面発光タイプのバックライト装置１９となる。なお、図６〜図９に示すように、終端部１ｂ・２ｂ近傍にＬＥＤ３を設けた場合、終端部１ｂ・２ｂ側からも導光板１・２に光が入光することにもなるので、終端部を入光部と表現しても構わない。
【００５９】
〔その他の実施の形態〕
なお、本発明は上記の実施の形態に限定されず、本発明の趣旨を逸脱しない範囲で、種々の変更が可能である。
【００６０】
例えば、導光板１・２における発光面１ｃ・２ｃのサイズ、入光部１ａ・２ａの厚みは、必要に応じて適切なサイズ、厚みを設定することが好ましい。また、発光面１ｃ・２ｃの発光輝度を均斉化させるために、反射面１ｄ・２ｄに例えば２０μｍ程度のピッチで凸レンズ加工を施してもよい。また、反射面１ｄ・２ｄ、発光面１ｃ・２ｃ、入光部１ａ・２ａ等にも凸レンズ加工や凹レンズ加工を施しても構わない。
【００６１】
なお、本発明のバックライト装置は、下記のように表現することもできる。
【００６２】
本発明は、表裏の両面が発光するバックライトであって、導光板端面の入光部の厚みが異なる表裏２枚の導光板を特徴とする両面発光バックライト装置である。
【００６３】
また、本発明は、入光部が２箇所以上あることを特徴とする両面発光バックライト装置ともいえる。
【００６４】
また、本発明は、導光板の形状がくさび形をしていることを特徴とする両面発光バックライト装置ともいえる。
【００６５】
また、本発明は、導光板の形状がくさび形であり、かつ、入光部が２箇所以上あることを特徴とする両面発光バックライト装置ともいえる。
【００６６】
また、本発明は、表裏が異なる大きさの発光面を有する導光板を特徴とする両面発光バックライト装置ともいえる。
【産業上の利用可能性】
【００６７】
例えば両面発光タイプの液晶表示装置に使用されるバックライト装置に有用である。
【図面の簡単な説明】
【００６８】
【図１】本発明のバックライト装置の概略断面図（縦断面図）であり、具体的には、後述の図１０における矢視Ｊ−Ｊ’線の概略断面図である。
【図２】図１の他の一例を示す概略断面図である。
【図３】両面発光タイプのバックライト装置を用いた液晶表示装置を使用した電子機器の一例である携帯端末の斜視図であり、（ａ）は携帯端末の外装を開いた場合の斜視図であり、（ｂ）は携帯端末の外装を閉じた場合の斜視図である。
【図４】図１・図２の他の一例を示す概略断面図である。
【図５】図１〜図３の他の一例を示す概略断面図である。
【図６】２つのＬＥＤを設けたバックライト装置の概略断面図である。
【図７】図６の他の一例を示す概略断面図である。
【図８】図６・図７の他の一例を示す概略断面図である。
【図９】図６〜図８の他の一例を示す概略断面図である。
【図１０】本発明のバックライト装置の斜視図である。
【図１１】従来のバックライト装置の概略断面図（縦断面）であり、（ａ）は導光板内部に乱反射部の設けられたバックライト装置の概略断面図であり、（ｂ）は複数個のパターンを含むように構成された単一の導光板を具備するバックライト装置の概略断面図であり、（ｃ）は２枚の導光板の間に、両面が反射面となった反射板を具備したバックライト装置の概略断面図である。
【符号の説明】
【００６９】
１    第１導光板
１ａ  第１導光板の入光部（第１導光板の側端部）
１ｂ  第１導光板の終端部（第１導光板の側端部）
１ｃ  第１導光板の発光面（第１導光板の出射部）
１ｄ  第１導光板の反射面
２    第２導光板
２ａ  第２導光板の入光部（第２導光板の側端部）
２ｂ  第２導光板の終端部（第２導光板の側端部）
２ｃ  第２導光板の発光面（第２導光板の出射部）
２ｄ  第２導光板の反射面
３    ＬＥＤ（光源）
１９    バックライト装置
【図１】
2006059583.tif 000003
【図２】
2006059583.tif 000004
【図３】
2006059583.tif 000005
【図４】
2006059583.tif 000006
【図５】
2006059583.tif 000007
【図６】
2006059583.tif 000008
【図７】
2006059583.tif 000009
【図８】
2006059583.tif 000010
【図９】
2006059583.tif 000011
【図１０】
2006059583.tif 000012
【図１１】
2006059583.tif 000013